(57)【特許請求の範囲】
【請求項１】
各種の鉄塔柱を含む既設の屋外建造物に設置して、鳥類の飛来、休息を物理的に阻止する形式の鳥害防止器取付装置であり、鳥類の飛来、休息を阻止する為の阻止要素を一方側に備えた筒状のハウジングを有し、該ハウジングの他方側には上記建造物の構成の一部である既存ボルトの先端余長部分に螺合緊締すべく、該既存ボルトに対応したねじマウントを有する承口部材を備えてなり、上記阻止要素は複数本を結束したワイヤロッドであり、上記筒状のハウジングは一方側に透孔を有するも閉塞され、該透孔には上記ワイヤロッドの一方端が貫通して上記ハウジングの内、外にてクリップにより強力に固定植設され、更に該ハウジングの外周面には、承口部材の螺合緊締に供する段部を設けて構成した鳥害防止器取付装置。
【発明の詳細な説明】
【０００１】
【発明の属する技術分野】
この発明は、各種の鉄塔柱を含む既設の屋外建造物に設置される鳥害防止器取付装置であり、詳しくは鳥類の飛来、休息により当該建造物の耐用命数を低下させるなどの鳥害を防止すべく、物理的にその接近を阻止する形式の改良された鳥害防止器取付装置に関する。
【０００２】
【発明が解決しようとする課題】
前記屋外建造物らは、鳥類の格好な休息場所になり、時には営巣されるなどして、建造物を汚染劣化させ、加えて送電塔であれば停電その他の大事故の原因ともなっている。鳥害防止の手段としては、建造物の設計段階から見込まれる個所の構造を特殊形状にして鳥類の休息を拒絶することや、忌避剤を塗布すること、天敵を模したデコイを揚げること、その他障害物を設けて物理的にその飛来接近を阻止すべく対策している。  本発明は、物理的に阻止する形式の鳥害防止器取付装置であり、前記既設の屋外建造物に省部品にして取付が省作業で迅速確実になされるよう改良した取付装置に係るものである。
【０００３】
従来、物理的に阻止する形式の装置は複数本のワイヤロッドを結束し、かつ専用金具を介して建造物の必要個所に設置して該ワイヤロッドを傘骨状に展開整形するもの（実公昭６３−３１５８９号）、細線材を必要個所に張設するもの（実公平２−３７２２４号）、風車を利用して線材を回転させて、その接近を阻止するもの（実公平７−２８８７０号）、などが提案され、それぞれ所定の効果をもたらしている。
【０００４】
本発明は好ましくは、上記最前者の複数本のワイヤロッドを結束して用いる形式の鳥害防止器と組合せて採用し、既設の建造物へ設置して適宜なものであり、この場合、該建造物の構成部材を緊締固定している既存ボルト（建造物の構成の一部である）の余長部分である先端部に直接的に螺合締結して取付ることにより、既設建造物の再加工や特殊な専用金具を要することなく、難儀な高所作業であっても速やかにその設置が可能とする鳥害防止器取付装置を提案し、その解決しようとする課題とするものである。
【０００５】
【課題を解決するための手段】
本発明は、各種の鉄塔柱を含む既設の屋外建造物に設置して、鳥類の飛来、休息を物理的に阻止する形式の鳥害防止器取付装置であり、  鳥類の飛来、休息を阻止する為の阻止要素を一方側に備えた筒状のハウジングを有し、該ハウジングの他方側には上記建造物の構成の一部である既存ボルトの先端余長部分に螺合緊締すべく、該既存ボルトに対応したねじマウントを有する承口部材を備えて構成し、その解決するための手段とするものである。
【０００６】
【実施例】
本発明の、鳥害防止器取付装置の正面図を一部を断面して図１に示す。既設の建造物１，１′はその構成の一部である既存ボルト２，既存ナット２′により緊締固定されており、一方断面して示す筒状のハウジング３は、図中上方側に透孔３１が穿設され、これを貫通して複数本の結束されたワイヤロッド４が植設され、他方側には承口部材３２が埋設されている。  承口部材３２の内側にはねじマウント３３が螺設されており、上記既存ボルト２の余長部分であるボルト先端部２１に螺合締結され、既存ボルト２とハウジング３は一体的に固定される。この場合、ハウジング３の上方側付近に段部３４が設けられており、市販の工具と係合して充分な締込みがなされる。  なお、複数本のワイヤロッド４はチューブ状の補助クリップ４１で疎く結束され、更に結束クリップ４２（アウター）とワイヤロッド４の下部付近を結束クリップ４２′（インナー）により透孔３１を貫通してハウジング３に内外より固定的に植設されている。
【０００７】
図１に示し上記した鳥害防止器取付装置の部品構成を図２に示す。  ワイヤロッド４は、補助クリップ４１で仮結束され結束クリップ４２（アウター）により、結束クリップ４２′（インナー）の束ね代を残して所定位置を掴えられ結束固定される。更に、ハウジング３の透孔３１に端部を挿入し、結束クリップ４２′（インナー）によりハウジング３に固定植設される。  承口部材３２は、適宜手段でハウジング３に固定埋設され、該承口部材３２の内側に螺設されている。ねじマウント３３を介して図１に示す既存ボルト２の先端部２１に段部３４を掛りとする工具により、螺合すべく設けられている。
上記した鳥害防止器取付装置の設置例を図３に示す。  図中、既設建造物１、１′は送電塔の腕金先端付近であり、当然ながら存在する建造物の構成の一部である既存ボルト２の余長先端に上記承口部材３２を介して取付け、更にワイヤロッド４の自由端を傘骨状に展開整形した状態を例示するものである。
【０００８】
上述した実施例においては、ハウジング３は硬質プラスチックを成型加工して用い、承口部材３２には内側にねじマウント３３を螺合すべき既存ボルト２に対応して設けた鋼管材を上記ハウジング３に埋設して用いた。複数本のワイヤロッド４は、整形可能で剛性を保ち耐候性のあるプラスチック線材を採用し、若干の可撓性を持つプラスチックチューブである補助クリップ４１にて仮結束し、これをアルミ合金パイプの結束クリップ４２、４２′により上記ハウジング３に固定的に植設したものである。  なお、採用した各材料は設置場所の環境や規模に応じて適宜変更して用いて支障なく、例えばワイヤロッド４については、ステンレススチール、アルミ合金線などと置換して採用してもよく、これ等とプラスチックの混在して用いる場合もあり、更に細線を小径に密接コイル巻したスプリングロッドを混在させ、これの揺動により鳥類の接近を効果的に拒否することも考えられる。  また、ハウジング３は外側にスリーブを嵌合させて補強することや、電気的な問題がなければダイカストモールドに素材を変更し、承口部として直接ねじマウントを設けること、加えて承口部材３２を着脱自在に設けて、ＪＩＳＢ１１８０（六角ボルト）に規格される各径のボルトに即対応が可能に、着替えての使用などが設計変更の範囲として考えられる。
【０００９】
【発明の効果】
本発明の鳥害防止器取付装置は、上述した構成により既設の建造物に設置されるから、従来、設置すべき建造物を再加工したり、特別な専用金具を介しての取付が不要となり、取付に際して省部品であり、高所への搬入が容易にして建造物の構成の一部である既存ボルトの遊休しているボルト先端に取付けられ、従って該建造物を加工によって損ずることなくかつ、高所作業が省作業に完了し得て、また鳥類の接近を阻止すべき種々の阻止要素と組合せての鳥害防止効果を発揮して、当該建造物の耐用命数を長命なものにするなどの優れた効果を有する。
【図面の簡単な説明】
【図１】正面図。本発明の鳥害防止器取付装置の一部を断面し、建造物への設置状態を示す図面。
【図２】斜視図。同じく装置の部品構成を示す図面。
【図３】斜視図。同じく装置を送電塔の腕金先端付近に設置し、ワイヤロッドを整形展開した状態を示す説明図。
【符号の説明】
１．‥‥‥‥既設建造物
２．‥‥‥‥既存ボルト
２１．‥‥‥‥ボルト先端部
３．‥‥‥‥ハウジング
３２．‥‥‥‥承口部材
３４．‥‥‥‥段部
４．‥‥‥‥ワイヤロッド
４２．‥‥‥‥結束クリップ
【図１】
0003769634.tif 000002
【図２】
0003769634.tif 000003
【図３】
0003769634.tif 000004